(57)【要約】【課題】ユーザが置き場所を忘れた場合でも、ユーザが容易に発見することができる電子機器を提供する。【解決手段】制御部２０は、マイク６を通じて第１のパターンの音が入力されたときに、カメラ５に撮影させ、カメラ５による撮影によって得られた画像から得られる情報を表わす音声をスピーカ７から出力させるように構成される。【選択図】図１
2017098866.tif 000002
【特許請求の範囲】
【請求項１】
マイクを通じて第１のパターンの音が入力されたときに、カメラに撮影させ、前記カメラによる撮影によって得られた画像から得られる情報を表わす音声をスピーカから出力させるように構成される制御部を備える、電子機器。
【請求項２】
前記カメラと、
前記マイクと、
前記スピーカとを備える、請求項１記載の電子機器。
【請求項３】
ディスプレイを備え、
前記制御部は、前記マイクを通じて前記第１のパターンの音が入力されたときに、前記カメラを起動するとともに、前記ディスプレイの表示をオフにするように構成される、請求項２記載の電子機器。
【請求項４】
前記制御部は、前記得られた画像中に物が検出されたときに、前記検出された物を表わす音声を前記スピーカから出力させるように構成される、請求項２記載の電子機器。
【請求項５】
前記制御部は、前記得られた複数の連続する画像中に動いている物体が検出されたときに、動いている物体が検出されたことを表わす音声を前記スピーカから出力させるように構成される、請求項２記載の電子機器。
【請求項６】
前記制御部は、前記マイクを通じて前記第１のパターンの音が入力されたときに、前記スピーカから報知音を出力させ、その後、前記マイクを通じて前記第１のパターンの音が入力されたときに、前記カメラに撮影させ、前記カメラによる撮影によって得られた画像から得られる情報を表わす音声を前記スピーカから出力させるように構成される、請求項２記載の電子機器。
【請求項７】
前記制御部は、前記マイクを通じて第２のパターンの音が入力されたときに、前記スピーカから報知音を出力させる、請求項２記載の電子機器。
【請求項８】
前記制御部は、前記電子機器を保持したユーザが正規ユーザか否かの認証を行ない、前記認証が成功しなかった場合に、前記保持したユーザが正規ユーザでない旨を表わす音声を前記スピーカから出力させる、請求項１記載の電子機器。
【請求項９】
前記制御部は、探索モード時のみにおいて、前記マイクを通じて前記第１のパターンの音が入力されたときに、前記カメラに撮影させ、前記カメラによる撮影によって得られた画像から得られる情報を表わす音声を前記スピーカから出力させるように構成される、請求項２記載の電子機器。
【請求項１０】
前記制御部は、前記電子機器の使用履歴に基づいて、前記電子機器を前記探索モードに設定するように構成される、請求項９記載の電子機器。
【請求項１１】
前記制御部は、前記電子機器に登録されているユーザのスケジュールに基づいて、前記電子機器を前記探索モードに設定するように構成される、請求項９記載の電子機器。
【請求項１２】
前記制御部は、前記マイクを通じて第１のパターンの音が入力されたときに、前記カメラに撮影させるときには、前記カメラにフラッシュ撮影させるように構成される、請求項２記載の電子機器。
【請求項１３】
前記カメラとしてインカメラとアウトカメラとを備え、
前記制御部は、前記電子機器の置かれている向きに応じて、前記インカメラと前記アウトカメラのうちのいずれかを選択して、前記選択したカメラに撮影させ、前記選択したカメラによる撮影によって得られた画像から得られる情報を表わす音声を前記スピーカから出力させるように構成される、請求項２記載の電子機器。
【請求項１４】
前記制御部は、前記インカメラを選択したときには、前記インカメラにフラッシュ撮影させ、前記アウトカメラを選択したときには、前記アウトカメラにフラッシュなしで撮影させる、請求項１３記載の電子機器。
【請求項１５】
前記制御部は、前記アウトカメラを選択したときには、前記アウトカメラにフラッシュ撮影させ、前記インカメラを選択したときには、前記インカメラにフラッシュなしで撮影させる、請求項１３記載の電子機器。
【請求項１６】
前記制御部は、前記アウトカメラが取り付けられている面が前記インカメラが取り付けられている面よりも鉛直方向の上側に位置すると検出したときには、前記アウトカメラを選択し、
前記インカメラが取り付けられている面が前記アウトカメラが取り付けられている面よりも鉛直方向の上側に位置すると検出したときには、前記インカメラを選択する、請求項１３記載の電子機器。
【請求項１７】
前記制御部は、前記アウトカメラが取り付けられている面と前記インカメラが取り付けられている面のいずれが、鉛直方向の上側に位置するかが検出できないときには、前記アウトカメラと前記インカメラのうちの一方を選択し、前記選択したカメラに撮影させるように構成され、
前記制御部は、前記選択したカメラで得られた画像に物が検出されたときには、前記検出された物を表わす音声を前記スピーカから出力させ、前記選択したカメラで得られた画像に物が検出されなかったときには、前記アウトカメラと前記インカメラのうちの他方を選択し、前記選択したカメラに撮影させるように構成され、
前記制御部は、前記選択したカメラで得られた画像に物が検出されたときには、前記検出された物を表わす音声を前記スピーカから出力させ、前記選択したカメラで得られた画像に物が検出されなかったときには、前記電子機器が両側から挟まれている旨を表わす音声を前記スピーカから出力させるように構成される、請求項１６記載の電子機器。
【請求項１８】
マイクを通じて第１のパターンの音が入力されたときに、カメラから得られた画像を通信部を通じて他の装置に送信するように構成された制御部を備える、電子機器。
【請求項１９】
前記カメラと、
前記マイクと、
前記通信部とを備える、請求項１８記載の電子機器。
【発明の詳細な説明】
【技術分野】
【０００１】
本開示は、電子機器に関する。
【背景技術】
【０００２】
従来から、音を発生することによって、ユーザに置き場所を知らせる機能を備えた携帯端末が知られている。
【０００３】
たとえば、特許文献１に記載の携帯電話は、外部音（例えば手拍子一回）が、メモリに記録されて基準外部音と一致する場合に、着信音を発生させる。
【先行技術文献】
【特許文献】
【０００４】
【特許文献１】特開２００４−２３５５９号公報
【発明の概要】
【発明が解決しようとする課題】
【０００５】
しかしながら、特許文献１に記載の方法では、ユーザは、音だけに頼って、端末を探さなければならない。ユーザと携帯端末の間で雑音が発生したり、ユーザが音が届きにくい場所に所在しているような場合には、ユーザが端末を探し当てることができないこともある。
【０００６】
それゆえに、本開示の目的は、ユーザが置き場所を忘れた場合でも、ユーザが容易に発見することができる電子機器を提供することができる。
【課題を解決するための手段】
【０００７】
一実施形態の電子機器は、マイクを通じて第１のパターンの音が入力されたときに、カメラに撮影させ、カメラによる撮影によって得られた画像から得られる情報を表わす音声をスピーカから出力させるように構成される制御部を備える。
【発明の効果】
【０００８】
一実施形態によれば、ユーザが置き場所を忘れた場合でも、ユーザが容易に発見することができる。
【図面の簡単な説明】
【０００９】
【図１】第１の実施形態の電子機器の構成を表わす図である。
【図２】第１の実施形態における電子機器の置き場所を通知する手順を表わすフローチャートである。
【図３】第２の実施形態における電子機器の置き場所を通知する手順を表わすフローチャートである。
【図４】第２の実施形態の変形例１における電子機器の置き場所を通知する手順を表わすフローチャートである。
【図５】第２の実施形態の変形例２における電子機器の置き場所を通知する手順を表わすフローチャートである。
【図６】図６は、第３の実施形態における電子機器の置き場所を通知する手順を表わすフローチャートである。
【図７】第４の実施形態の電子機器およびウェアラブル機器の構成を表わす図である。
【図８】第４の実施形態における電子機器の置き場所を通知する手順を表わすフローチャートである。
【図９】第５の実施形態における電子機器の置き場所を通知する手順を表わすフローチャートである。
【図１０】図９のステップＳ６０１の所定の条件を説明するための図である。
【図１１】第６の実施形態における電子機器の置き場所を通知する手順を表わすフローチャートである。
【図１２】第６の実施形態における電子機器の置き場所を通知する手順を表わすフローチャートである。
【図１３】第７の実施形態の電子機器の構成を表わす図である。
【図１４】第７の実施形態の電子機器の外観を表わす図である。
【図１５】第７の実施形態における電子機器の置き場所を通知する手順を表わすフローチャートである。
【図１６】図１５のステップＳＴ１０の処理手順を表わすフローチャートである。
【図１７】図１５のステップＳＴ１０の処理手順の変形例を表わすフローチャートである。
【図１８】第８の実施形態における電子機器の置き場所を通知する手順を表わすフローチャートである。
【図１９】第８の実施形態の変形例１の電子機器の動作手順を表わすフローチャートである。
【図２０】第８の実施形態の変形例２における電子機器の置き場所を通知する手順を表わすフローチャートである。
【図２１】第９の実施形態の電子機器における電子機器の置き場所を通知する手順を表わすフローチャートである。
【図２２】第９の実施形態の変形例１における電子機器の置き場所を通知する手順を表わすフローチャートである。
【図２３】第９の実施形態の変形例２における電子機器の置き場所を通知する手順を表わすフローチャートである。
【図２４】第１０の実施形態における電子機器の置き場所を通知する手順を表わすフローチャートである。
【図２５】第１１の実施形態の電子機器の構成を表わす図である。
【発明を実施するための形態】
【００１０】
以下、実施の形態について、図面を用いて説明する。
［第１の実施形態］
図１は、第１の実施形態の電子機器の構成を表わす図である。
【００１１】
この電子機器１は、携帯電話、スマートフォン、ノート型パソコン、タブレット端末、ノートパソコン、ウェアラブル機器、または携帯型音楽プレイヤーなどである。以下の説明では、電子機器１は、スマートフォンであることを想定して説明するが、本開示の技術的な特徴部分が適用される電子機器１は、スマートフォンに限定されるものではない。
【００１２】
図１を参照して、この電子機器１は、メインプロセッサ２と、サブプロセッサ３と、メモリ３５と、カメラ５と、マイク６と、スピーカ７と、ディスプレイ８と、タッチパネル９と、無線通信回路１０と、近距離通信回路１１と、ジャイロセンサ１２と、加速度センサ１７と、近接センサ１３と、照度センサ１４と、アンテナ１５と、バイブレータ１６とを備える。
【００１３】
メインプロセッサ２は、電子機器１の構成要素の全体を制御することができる。電子機器１は、消費電力を削減するために、一定の条件が満たされるときに、ディスプレイ８等の所定の構成部への電力供給を抑制するスリープモードに移行してもよい。スリープモード時において、電子機器１は、所定の制御をサブプロセッサ３にさせて、メインプロセッサ２の機能の一部又は全部を動作させなくてもよい。メインプロセッサ２の機能の一部又は全部が動作していないとき、電子機器１は、動作していないメインプロセッサ２の機能の一部又は全部をサブプロセッサ３が代わりに実行させてもよい。電子機器１は、メインプロセッサ２及びサブプロセッサ３を協働的に、或いは、選択的用いて各種の制御を実行してもよい。
【００１４】
サブプロセッサ３は、主として照度センサ１４、近接センサ１３、ジャイロセンサ１２、加速度センサ１７からの信号を受信して、これらのセンサによる検出結果をメモリ３５に記憶させてよい。サブプロセッサ３は、加速度センサ１７からの信号を受信したことをメインプロセッサ２に通知してもよい。メインプロセッサ２の機能の一部又は全部が動作していない時に、サブプロセッサ３からメインプロセッサ２にこれらのセンサからの信号を受信したことが通知されたときに、通常モードに移行してもよい。メインプロセッサ２及びサブプロセッサ３の少なくとも一方は、メモリ３５内の上記センサによる検出結果を参照することができる。
【００１５】
メモリ３５は、各種のデータおよびプログラムを記憶することができる。メモリ３５は、制御プログラムを記憶する制御プログラム記憶部４を含む。
【００１６】
メインプロセッサ２およびサブプロセッサ３は、制御プログラムを実行することによって、制御部２０として機能する。
【００１７】
スピーカ７は、通話相手の音声、着信音、および報知音などを出力することができる。
マイク６は、電子機器１のユーザの音声、およびユーザが発生した電子機器１への指示を表わす音などの電子機器１の外部の音を入力することができる。
【００１８】
カメラ５は、被写体を撮影することができる。
ディスプレイ８は、たとえば液晶ディスプレイによって構成されることができる。ディスプレイ８は、例えば、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスであってもよい。
【００１９】
タッチパネル９は、ユーザからの入力を受け付けることができる。タッチパネル９は、たとえば静電容量方式のものである。タッチパネル９は、ディスプレイ８の表面に設けられる。
【００２０】
無線通信回路１０は、アンテナ１５を通じて、たとえば無線基地局又は通信機能を備える他装置と通信することができる。無線通信回路によってサポートされる通信方式は、無線通信規格である。無線通信規格として、たとえば、２Ｇ、３Ｇ、４Ｇ、５Ｇ等のセルラーフォンの通信規格がある。セルラーフォンの通信規格として、たえば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００（Ｗｉｄｅｂａｎｄ  Ｃｏｄｅ  Ｄｉｖｉｓｉｏｎ  Ｍｕｌｔｉｐｌｅ  Ａｃｃｅｓｓ  ２０００）、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等を含む。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）等を含む。無線通信回路１０は、上述した通信規格の１つ又は複数をサポートしていてもよい。
【００２１】
近距離通信回路１１は、Bluetooth方式に従って、ウェアラブル機器などの他の装置と通信することができる。近距離通信回路１１は、ＩｒＤＡ（Ｉｎｆｒａｒｅｄ  Ｄａｔａ  Ａｓｓｏｃｉａｔｉｏｎ）規格、ＮＦＣ（Ｎｅａｒ  Ｆｉｅｌｄ  Ｃｏｍｍｕｎｉｃａｔｉｏｎ）規格であってもよい。
【００２２】
ジャイロセンサ１２は、電子機器１の角速度を検出することができる。ジャイロセンサ１２から出力される角速度を積分することによって電子機器１の向き（傾き）を検出することができる。
【００２３】
加速度センサ１７は、加速度、つまり一定時間に速度がどの方向にどれだけ変化したかを表わす量を検出することができる。
【００２４】
近接センサ１３は、赤外線を放射し、反射光を電流に変換することによって、電子機器１の近くに物体が存在するか否かを検出することができる。
【００２５】
照度センサ１４は、電子機器１に入射する光を電流に変換することによって、電子機器１の置かれた場所の照度を検出することができる。
【００２６】
バイブレータ１６は、ユーザへの通知が必要なときに、たとえば着信時に振動することができる。
【００２７】
図２は、第１の実施形態における電子機器の置き場所を通知する手順を表わすフローチャートである。
【００２８】
ステップＳ１０１において、制御部２０は、マイク６を通じて、第１のパターンの音が入力された場合には、処理をステップＳ１０２に進ませることができる。第１のパターンの音とは、たとえば、ユーザが手を所定回数（たとえば３回）叩くことで発生する音である。あるいは、ユーザが机の上を所定回数（たとえば３回）叩くことで発生する音である。
【００２９】
ステップＳ１０２において、制御部２０は、ディスプレイ８のバックライトをオフすることによって、ディスプレイ８を消灯することができる。
【００３０】
ステップＳ１０３において、制御部２０は、カメラ５を起動することができる。
ステップＳ１０４において、制御部２０は、カメラ５に撮影させることができる。
【００３１】
ステップＳ１０５において、制御部２０は、カメラ５による撮影によって得られた画像を解析することができる。
【００３２】
ステップＳ１０６において、制御部２０は、これまでに得られた複数の連続する画像中に動いている物を検出したときには、処理をステップＳ１０７に進ませることができ、動いている物を検出しなかったときには、処理をステップＳ１０８に進ませることができる。
【００３３】
ステップＳ１０８において、制御部２０は、得られた画像中に静止している物を検出したときには、処理をステップＳ１０９に進ませることができ、静止している物を検出しなかったときには、処理をステップＳ１１０に進ませることができる。
【００３４】
ステップＳ１０７において、制御部２０は、検出した動いている物の名前と、動いている物が検出されたこととを表わす音声メッセージをスピーカ７から出力させることができる。たとえば、人が動いているのが検出されたときには、人が動いていることが通知されることができる。あるいは、人の腕または掌が動いているのが検出されたときには、その旨が通知されるものとすることができる。
【００３５】
ステップＳ１０９において、制御部２０は、検出した静止している物の名前と、静止している物が検出されたこととを表わす音声メッセージをスピーカ７から出力させることができる。たとえば、本が検出されたときには、本が検出されたことが通知されることができる。あるいは、文字が検出されたときには、検出された文字が通知されることができる。
【００３６】
ステップＳ１１０において、制御部２０は、得られた画像に基づいて、色を表わす音声メッセージをスピーカ７から出力させることができる。たとえば、制御部２０は、得られた画像の画素に含まれる色情報に基づいて、色分布解析等の画像解析方法により所定の特徴を特定し、特定した特徴に対応する色を表わす音声メッセージをスピーカ７から出力させてよい。
【００３７】
ステップＳ１１１において、制御部２０は、ユーザが電子機器１を手に持った場合に、処理を終了させ、それ以外の場合には、処理をステップＳ１１２に進ませることができる。ユーザが電子機器１を手に持ったか否かは、たとえば、加速度センサ１７、ジャイロセンサ１２、照度センサ１４、または近接センサ１３を単独、または組み合わせて用いることによって検出することができる。
【００３８】
ステップＳ１１２において、制御部２０は、一定時間処理をウエイトした後、処理をステップＳ１０４に戻らせることができる。この一定時間を短くすることによって、微小時間の動きも検出することもできる。
【００３９】
以上のように、第１の実施形態によれば、カメラ５によって撮影された画像から得られる情報を表わす音声メッセージを通知するので、ユーザが電子機器１の置き場所を忘れた場合でも、ユーザは容易に電子機器１を発見することができる。
【００４０】
たとえば、電子機器１のカメラ５で撮影された画像に人が含まれている場合に、ユーザは、自身も含む人の周りに電子機器１が置かれていると知ることができる。さらに、視覚障碍者でも、撮影された画像から得られる情報が音声で通知されるので、電子機器１の置かれている場所を知ることができる。
【００４１】
なお、上記の実施形態では、電子機器は、動いている物および静止している物が検出されなかったときに、得られた画像に基づいて特定した色を通知したが、これに限定するものではない。電子機器は、動いている物または静止している物が検出されたときでも、得られた画像に基づいて特定した色を通知してもよい。あるいは、電子機器は、動いている物および静止している物の検出処理を実行せずに、得られた画像に基づいて特定した色のみを通知してもよい。
【００４２】
［第２の実施形態］
第２の実施形態の電子機器は、ユーザが置き場所を忘れた電子機器を発見するのを援助するための手段として、第１の実施形態で説明したカメラ撮影機能に加えて、報知音を出力する機能を備える。
【００４３】
図３は、第２の実施形態における電子機器の置き場所を通知する手順を表わすフローチャートである。
【００４４】
ステップＳ３００において、制御部２０は、マイク６を通じて、第１のパターンの音が入力された場合には、処理をステップＳ３０１に進ませることができる。第１のパターンの音とは、たとえば、ユーザが手を所定回数（たとえば３回）叩くことで発生する音である。
【００４５】
ステップＳ３０１において、制御部２０は、所定時間、報知音をスピーカ７から出力させることができる。報知音として、たとえば、着信音と同じ音とすることができる。
【００４６】
ステップＳ３０２において、制御部２０は、ユーザが電子機器１を手に持った場合に、処理を終了させ、それ以外の場合には、処理をステップＳ３０３に進ませる。ユーザが電子機器１を手に持ったか否かは、たとえば、ジャイロセンサ１２、照度センサ１４、または近接センサ１３を単独、または組み合わせて用いることによって検出することができる。
【００４７】
ステップＳ３０３において、制御部２０は、マイク６を通じて、第１のパターンの音が入力された場合には、処理をステップＳ３０４に進ませ。第１のパターンの音が入力されなかった場合には、処理をステップＳ３０５に進ませることができる。
【００４８】
ステップＳ３０４において、図２のフローチャートのステップＳ１０２〜Ｓ１１２の処理が実行される。
【００４９】
ステップＳ３０５において、制御部２０は、一定時間処理をウエイトし、その後、処理をステップＳ３０１に戻らせることができる。
【００５０】
以上のように、第２の実施形態によれば、ユーザが第１のパターンの音を発生させることにより、電子機器は報知音を出力する。それでもユーザが電子機器を発見できなかった場合に、ユーザが第１のパターンの音を再度発生させることにより、電子機器は、カメラ５で撮影された画像から得られる情報を表わす音声メッセージも出力する。これによって、ユーザによる電子機器の発見がより容易になる。
【００５１】
［第２の実施形態の変形例１］
図４は、第２の実施形態の変形例１における電子機器の置き場所を通知する手順を表わすフローチャートである。
【００５２】
ステップＳ７００において、制御部２０は、マイク６を通じて、第１のパターンの音が入力された場合には、処理をステップＳ７０１に進ませることができる。第１のパターンの音とは、たとえば、ユーザが手を第１の所定回数（たとえば３回）叩くことで発生する音である。
【００５３】
ステップＳ７０１において、制御部２０は、所定時間、報知音をスピーカ７から出力させることができる。報知音として、たとえば、着信音と同じ音とすることができる。
【００５４】
ステップＳ７０２において、制御部２０は、ユーザが電子機器１を手に持った場合に、処理を終了させ、それ以外の場合には、処理をステップＳ７０３に進ませる。ユーザが電子機器１を手に持ったか否かは、たとえば、ジャイロセンサ１２、照度センサ１４、または近接センサ１３を単独、または組み合わせて用いることによって検出することができる。
【００５５】
ステップＳ７０３において、制御部２０は、マイク６を通じて、第２のパターンの音が入力された場合には、処理をステップＳ７０４に進ませ、第２のパターンの音が入力されなかった場合には、処理をステップＳ７０５に進ませることができる。第２のパターンの音とは、たとえば、ユーザが手を第２の所定回数（たとえば５回）叩くことで発生する音である。
【００５６】
ステップＳ７０４において、図２のフローチャートのステップＳ１０２〜Ｓ１１２の処理が実行される。
【００５７】
ステップＳ７０５において、制御部２０は、一定時間処理をウエイトし、その後、処理をステップＳ７０１に戻らせることができる。
【００５８】
以上のように、第２の実施形態の変形例１によれば、ユーザが第１のパターンの音を発生させることにより、電子機器は報知音を出力する。それでもユーザが電子機器を発見できなかった場合に、ユーザが第２のパターンの音を再度発生させることにより、電子機器は、カメラ５で撮影された画像から得られる情報を表わす音声メッセージも出力する。これによって、ユーザによる電子機器の発見がより容易になる。
【００５９】
［第２の実施形態の変形例２］
図５は、第２の実施形態の変形例２における電子機器の置き場所を通知する手順を表わすフローチャートである。
【００６０】
ステップＳ８００において、制御部２０は、マイク６を通じて、第２のパターンの音が入力された場合には、処理をステップＳ８０１に進ませ、第２のパターンの音が入力されなかった場合には、処理をステップＳ８０２に進ませることができる。第１のパターンの音とは、たとえば、手を第２の所定回数（たとえば５回）叩くことで発生する音による指示である。
【００６１】
ステップＳ８０１において、制御部２０は、所定時間、報知音をスピーカ７から出力させることができる。
【００６２】
ステップＳ８０２において、制御部２０は、マイク６を通じて、ユーザから第１のパターンの音による指示を受けた場合には、処理をステップＳ８０３に進ませ。ユーザから第１のパターンの音による指示を受けない場合には、処理をステップＳ８０４に進ませることができる。第１のパターンの音とは、たとえば、ユーザが手を第１の所定回数（たとえば３回）叩くことで発生する音である。
【００６３】
ステップＳ８０３において、図２のフローチャートのステップＳ１０１〜Ｓ１１２の処理が実行される。
【００６４】
ステップＳ８０４において、制御部２０は、ユーザが電子機器１を手に持った場合に、処理が終了させ、それ以外の場合には、処理をステップＳ８０５に進ませることができる。
【００６５】
ステップＳ８０５において、制御部２０は、一定時間処理をウエイトし、その後、処理をステップＳ８００に戻らせることができる。
【００６６】
以上のように、第２の実施形態の変形例２によれば、ユーザが第１のパターンの音を発生させることにより、電子機器は報知音を出力し、ユーザが第２のパターンの音を発生させることにより、電子機器は、カメラ５で撮影された画像から得られる情報を表わす音声メッセージを出力する。これによって、ユーザは、報知音とカメラ５の情報を表わす音声メッセージのうちの好きな方を選択することができるので、電子機器の発見がより容易になる。
【００６７】
［第３の実施形態］
第３の実施形態の電子機器は、第１の実施形態と同様に、ユーザが置き場所を忘れた電子機器を発見するのを援助するためにカメラ撮影機能を備えるとともに、正規ユーザ以外のユーザに保持された場合に、威嚇する機能を有する。
【００６８】
図６は、第３の実施形態における電子機器の置き場所を通知する手順を表わすフローチャートである。
【００６９】
ステップＳ２０１において、第１の実施形態と同様に、図２のフローチャートのステップＳ１０１〜Ｓ１１２の処理が行われる。
【００７０】
ステップＳ１１１でＹＥＳの後は、制御部２０は、処理を終了せずに、処理をステップＳ２０２に進ませることができる。
【００７１】
ステップＳ２０２において、制御部２０は、バイブレータ１６を振動させる。
ステップＳ２０３において、制御部２０は、アクセシビリティ機能モードがオンに設定されている場合に、処理をステップＳ２０４に進ませ、アクセシビリティ機能モードがオフに設定されている場合、処理を終了することができる。
【００７２】
ステップＳ２０４において、制御部２０は、電子機器１を手に持ったユーザの生体認証処理を実行することができる。生体認証に用いる生体情報として、たとえば指紋、声紋、虹彩などを用いることができる。
【００７３】
ステップＳ２０５において、制御部２０は、電子機器１を手に持ったユーザが正規ユーザの場合には、処理を終了することができる。制御部２０は、電子機器１を手に持ったユーザが正規ユーザでない場合には、処理をステップＳ２０６に進ませることができる。
【００７４】
ステップＳ２０６において、制御部２０は、電子機器１を手に持ったユーザが正規ユーザでない旨を表わす音声メッセージをスピーカ７から出力させることができる。
【００７５】
以上のように、第３の実施形態によれば、電子機器の置き場所に関する情報が音声で通知されることによって、電子機器の所有者以外の者に盗まれるのを防止することができる。特に、視覚障碍者は、カメラ５で撮影された画像の内容を表わす音声メッセージが通知されたとしても、なかなか電子機器を発見することができず、他人に盗まれる危険性が高いので、電子機器１を手に持ったユーザが正規ユーザでない旨を表わす音声メッセージを出力することによって、電子機器１を盗もうとしている者に対して威嚇することができる。
【００７６】
なお、上記の実施形態では、電子機器を手に持ったユーザが正規ユーザでない場合には、その旨を表わす音声メッセージを出力したが、これに限定されるものではなく、たとえば報知音を出力し続けることとしてもよい。
【００７７】
また、上記の実施形態では、アクセシビリティ機能モードがオンに設定されているときに生体認証を行ったが、これに限定されるものではなく、アクセシビリティ機能モードがオンかオフかにかかわらず、生体認証が行われるものとしてもよい。
【００７８】
［第４の実施形態］
第４の実施形態の電子機器は、第１の実施形態と同様に、ユーザが置き場所を忘れた電子機器を発見するのを援助するためにカメラ撮影機能を備えるが、撮影された画像について音声で通知するのではなく、画像をそのままウェアラブル機器などの他の電子機器へ送信する機能を有する。
【００７９】
図７は、第４の実施形態の電子機器１およびウェアラブル機器３０の構成を表わす図である。
【００８０】
ウェアラブル機器３０は、ユーザの身体に装着可能な機器であって、腕時計型、メガネ型などの機器である。
【００８１】
ウェアラブル機器３０は、プロセッサ３２と、メモリ３５と、ディスプレイ３４と、近距離通信回路３１と、入力部３７とを備える。
【００８２】
電子機器１に含まれる近距離通信回路１１と、ウェアラブル機器３０の近距離通信回路３１との間でBluetooth方式による通信が可能である。
【００８３】
入力部３７は、タッチパネル、またはボタンスイッチなどによって構成され、ユーザからの入力を受け付けることができる。
【００８４】
電子機器１の制御部２０は、近距離通信回路１１を通じて、カメラ５で撮影された画像をウェアラブル機器３０へ送信することができる。
【００８５】
メモリ３５は、制御プログラムを記憶する制御プログラム記憶部３３を含む。
プロセッサ３２は、制御プログラムを実行することによって、制御部４０として機能する。
【００８６】
制御部４０は、近距離通信回路３１を通じて、電子機器１からカメラ５で撮影された画像を受信して、受信した画像をディスプレイ３４に表示することができる。
【００８７】
図８は、第４の実施形態における電子機器の置き場所を通知する手順を表わすフローチャートである。
【００８８】
ステップＳ５０１において、制御部２０は、マイク６を通じて、ユーザから１のパターンの音が入力された場合には、処理をステップＳ５０２に進ませることができる。第１のパターンの音とは、たとえば、手を第１の所定回数（たとえば３回）叩くことで発生する音による指示である。
【００８９】
ステップＳ５０２において、制御部２０は、ディスプレイ８のバックライトをオフすることによって、ディスプレイ８を消灯することができる。
【００９０】
ステップＳ５０３において、制御部２０は、カメラ５を起動することができる。
ステップＳ５０４において、制御部２０は、カメラ５に撮影させることができる。
【００９１】
ステップＳ５０５において、制御部２０は、カメラ５による撮影によって得られた画像を近距離通信回路１１を通じて、ウェアラブル機器３０へ送信することができる。ウェアラブル機器３０の近距離通信回路３１は、画像を受信し、制御部４０は、受信した画像をディスプレイ３４に表示することができる。
【００９２】
ステップＳ５０６において、制御部２０は、ユーザが電子機器１を手に持った場合に、処理を終了させ、それ以外の場合には、処理をステップＳ５０４に戻らせる。ユーザが電子機器１を手に持ったか否かは、たとえば、ジャイロセンサ１２、照度センサ１４、または近接センサ１３を単独、または組み合わせて用いることによって検出することができる。
【００９３】
以上のように、第４の実施形態によれば、カメラ５によって撮影された画像がウェアラブル機器などの他の装置へ送信されるので、ユーザは、受信した画像を見ることによって、置き忘れた電子機器が置かれている場所を知ることができる。
【００９４】
［第５の実施形態］
第５の実施形態の電子機器は、第１の実施形態と同様に、ユーザが置き場所を忘れた電子機器を発見するのを援助するためにカメラ撮影機能を備えるが、この機能は所定の条件が成立することによって探索モードに設定されたとのみに有効となる。
【００９５】
図９は、第５の実施形態における電子機器の置き場所を通知する手順を表わすフローチャートである。
【００９６】
ステップＳ６０１において、制御部２０は、所定の条件が成立した場合には、処理をステップＳ６０２に進ませることができる。所定の条件について、後述する。
【００９７】
ステップＳ６０２において、制御部２０は、探索モードをオンに設定することができる。
【００９８】
ステップＳ６０３において、制御部２０は、スピーカ７が着信音などの何らかの音を出力中の場合には、処理をステップＳ６０４に進ませることができる。制御部２０は、スピーカ７が着信音などの何らかの音を出力中でない場合には、処理をステップＳ６０５に進ませることができる。
【００９９】
ステップＳ６０４において、制御部２０は、音の出力が終了するまでウエイトすることができる。
【０１００】
ステップＳ６０５において、制御部２０は、マイク６を通じて、第１のパターンの音が入力された場合には、処理をステップＳ６０６に進ませることができる。第１のパターンの音とは、たとえば、ユーザが手を所定回数（たとえば３回）叩くことで発生する音である。
【０１０１】
ステップＳ６０６において、制御部２０は、所定時間、報知音をスピーカ７から出力させることができる。報知音として、たとえば、着信音と同じ音とすることができる。
【０１０２】
ステップＳ６０７において、制御部２０は、ユーザが電子機器１を手に持った場合に、処理を終了させ、それ以外の場合には、処理をステップＳ６０８に進ませることができる。ユーザが電子機器１を手に持ったか否かは、たとえば、ジャイロセンサ１２、照度センサ１４、または近接センサ１３を単独、または組み合わせて用いることによって検出することができる。
【０１０３】
ステップＳ６０８において、制御部２０は、マイク６を通じて、第１のパターンの音が入力された場合には、処理をステップＳ６０９に進ませ。第１のパターンの音が入力されなかった場合には、処理をステップＳ６１０に進ませることができる。
【０１０４】
ステップＳ６０９において、図２のフローチャートのステップＳ１０２〜Ｓ１１２の処理が実行される。
【０１０５】
ステップＳ６１０において、制御部２０は、一定時間処理をウエイトし、その後、処理をステップＳ６０６に戻らせることができる。
【０１０６】
図１０は、図９のステップＳ６０１の所定の条件を説明するための図である。
ステップＳ６０１において、制御部２０は、所定の条件として図１０に示すパターンＡ〜Ｆのいずれかを用いることができる。
【０１０７】
パターンＡが用いられるときには、通常では使用されている時間帯に電子機器１が使用されていないときに条件が満たされる。
【０１０８】
パターンＢが用いられるときには、通常では電話を発信（発呼）している時間帯に発呼がされていないときに条件が満たされる。
【０１０９】
パターンＣが用いられるときには、通常では電子メールを送信している時間帯に電子メールが送信されないときに条件が満たされる。
【０１１０】
パターンＤが用いられるときには、通常ではユーザが電子機器１を所持して移動している時間帯に移動されていないときに条件が満たされる。ユーザが移動しているか否かは、たとえば加速度センサ１７によって検出するものとしてもよい。
【０１１１】
パターンＥが用いられるときには、登録されているユーザのスケジュールの時間帯に電子機器１が使用されておらず、かつその時間帯にユーザが電子機器１を所持して移動していないときに条件が満たされる。
【０１１２】
パターンＦが用いられるときには、電子機器１とユーザとの距離が所定値以上のときに条件が満たされる。電子機器１とユーザとの距離は、たとえば近接センサ１３などによって検出するものとしてもよい。
【０１１３】
上記のパターンＡ〜Ｅにおいて、時間帯は、たとえば午前１０時〜１０時３０などのように一定の時間幅を有するものとすることができる。
【０１１４】
第５の実施形態によれば、探索モードに設定されたときにのみ、マイク６、カメラ５、およびスピーカ７をオンにすればよいので、消費電力を削減することができる。
【０１１５】
なお、図９のステップＳ６０５〜Ｓ６１０は、図３のステップＳ３００〜Ｓ３０５と同様のものであるが、これに限定するものではなく、図４のステップＳ７００〜Ｓ７０５に代えてもよい、あるいは図５のステップＳ８００〜Ｓ８０５に代えてもよい。
【０１１６】
［第６の実施形態］
第６の実施形態では、第１の実施形態と同様に、ユーザが置き場所を忘れた電子機器を発見するのを援助するためにカメラ撮影機能を備えるが、カメラ撮影時にＬＥＤ（Light Emitting Diode）などのフラッシュ光源を発光させる。
【０１１７】
図１１は、第６の実施形態における電子機器の置き場所を通知する手順を表わすフローチャートである。
【０１１８】
図１１のフローチャートが、図２のフローチャートと相違する点は、ステップＳ１０４の代わりにステップＳ４０４を含む点である。
【０１１９】
ステップＳ４０４において、制御部２０は、カメラ５にフラッシュ撮影させることができる。カメラ５にフラッシュ用のＬＥＤライトが含まれているときには、制御部２０は、撮影と同時にＬＥＤライトを発光される。カメラ５にフラッシュ用のＬＥＤライトが含まれていない場合には、制御部２０は、撮影と同時に、ディスプレイ８の輝度を通常より数倍明るくさせる。
【０１２０】
以上のように、第６の実施形態によれば、カメラ撮影時にフラッシュ光源が発光することによって、ユーザは発光された場所をも手がかりにして、電子機器の置き場所を探索することができる。
【０１２１】
なお、電子機器１は、視覚障碍者向けのアクセシビリティ機能モードを備え、制御部２０は、アクセシリビリティ機能モードがオフのときに、フラッシュ撮影し、アクセシビリティ機能モードがオンのときに、フラッシュなし撮影するものとしてもよい。
【０１２２】
［第６の実施形態の変形例］
第６の実施形態の変形例の電子機器は、ユーザが置き場所を忘れた電子機器を発見するのを援助するためにカメラのフラッシュ撮影機能を備えるが、第６の実施形態のようにカメラで撮影された画像について音声で通知する機能は備えない。
【０１２３】
図１２は、第６の実施形態における電子機器の置き場所を通知する手順を表わすフローチャートである。
【０１２４】
ステップＳＴ４１において、制御部２０は、マイク６を通じて、第１のパターンの音が入力された場合には、処理をステップＳＴ４２に進ませることができる。第１のパターンの音とは、たとえば、ユーザが手を所定回数（たとえば３回）叩くことで発生する音である。あるいは、ユーザが机の上を所定回数（たとえば３回）叩くことで発生する音である。
【０１２５】
ステップＳＴ４２において、制御部２０は、ディスプレイ８のバックライトをオフすることによって、ディスプレイ８を消灯することができる。
【０１２６】
ステップＳＴ４３において、制御部２０は、カメラ５を起動することができる。
ステップＳ４４において、制御部２０は、カメラ５にフラッシュ撮影させることができる。
【０１２７】
ステップＳＴ４５において、制御部２０は、ユーザが電子機器１を手に持った場合に、処理を終了させ、それ以外の場合には、処理をステップＳＴ４６に進ませることができる。ユーザが電子機器１を手に持ったか否かは、たとえば、加速度センサ１７、ジャイロセンサ１２、照度センサ１４、または近接センサ１３を単独、または組み合わせて用いることによって検出することができる。
【０１２８】
ステップＳＴ４６において、制御部２０は、一定時間処理をウエイトした後、処理をステップＳＴ４４に戻らせる。
【０１２９】
［第７の実施形態］
図１３は、第７の実施形態の電子機器の構成を表わす図である。
【０１３０】
この電子機器５１が、第１の実施形態の電子機器１と相違する点は、インカメラ５２と、アウトカメラ５３とを備える点である。
【０１３１】
図１４（ａ）および（ｂ）は、第７の実施形態の電子機器の外観を表わす図である。
図１４（ａ）および（ｂ）に示すように、インカメラ５２は、ディスプレイ８と同じ面に配置される。アウトカメラ５３は、ディスプレイ８と反対側の面に配置される。以下の説明では、インカメラ５２とディスプレイ８が配置されている面を表面とし、アウトカメラ５３が配置されている面を背面とする。
【０１３２】
図１５は、第７の実施形態における電子機器の置き場所を通知する手順を表わすフローチャートである。
【０１３３】
ステップＳＴ１において、制御部２０は、マイク６を通じて、第１のパターンの音が入力された場合には、処理をステップＳＴ２に進ませることができる。第１のパターンの音とは、たとえば、ユーザが手を所定回数（たとえば３回）叩くことで発生する音である。あるいは、ユーザが机の上を所定回数（たとえば３回）叩くことで発生する音である。
【０１３４】
ステップＳＴ２において、制御部２０は、ディスプレイ８のバックライトをオフすることによって、ディスプレイ８を消灯することができる。
【０１３５】
ステップＳＴ３において、制御部２０は、ジャイロセンサ１２から出力される信号に基づいて、電子機器５１の向きを検出する。制御部２０は、電子機器５１の向きが、背面が表面よりも鉛直方向の上側となるような向きか、表面が背面よりも鉛直方向の上側となるような向きか、あるいはそれらのいずれとも判定できないかを検出する。
【０１３６】
ステップＳＴ４において、電子機器５１の向きが背面が上側となるような向きと検出されたときには、制御部２０は、処理をステップＳＴ６に進ませることができる。
【０１３７】
ステップＳＴ６において、制御部２０は、アウトカメラ５３を起動することができる。
ステップＳＴ７において、制御部２０は、図２のフローチャートのステップＳ１０４〜Ｓ１１２の処理を実行させることができる。これによって、アウトカメラ５３によって撮影された画像に基づく音声メッセージが出力されることができる。
【０１３８】
ステップＳＴ５において、電子機器５１の向きが表面が鉛直方向の上側となるような向きと検出されたときには、制御部２０は、処理をステップＳＴ８に進ませることができる。
【０１３９】
ステップＳＴ８において、制御部２０は、インカメラ５２を起動することができる。
ステップＳＴ９において、制御部２０は、図２のフローチャートのステップＳ１０４〜Ｓ１１２の処理を実行させることができる。これによって、インカメラ５２によって撮影された画像に基づく音声メッセージが出力されることができる。
【０１４０】
ステップＳＴ４およびＳＴ５において、電子機器５１の向きが背面が鉛直方向の上側となるような向きと検出されず、かつ表面が鉛直方向の上側となるような向きと検出されなかったときには、処理をステップＳＴ１０に進ませることができる。
【０１４１】
ステップＳＴ１０において、制御部２０は、インカメラ５２とアウトカメラ５３の２つを用いた処理を実行させることができる。
【０１４２】
図１６は、図１５のステップＳＴ１０の処理手順を表わすフローチャートである。
ステップＳＴ５１において、制御部２０は、インカメラ５２を選択することができる。
【０１４３】
ステップＳＴ５２において、制御部２０は、選択したカメラを起動することができる。
ステップＳＴ５３において、制御部２０は、選択したカメラに撮影させることができる。
【０１４４】
ステップＳＴ５４において、制御部２０は、選択したカメラによる撮影によって得られた画像を解析することができる。
【０１４５】
ステップＳＴ５５において、制御部２０は、これまでに得られた複数の連続する画像中に動いている物を検出したときには、処理をステップＳＴ５６に進ませることができ、動いている物を検出しなかったときには、処理をステップＳＴ５７に進ませることができる。
【０１４６】
ステップＳＴ５７において、制御部２０は、得られた画像中に静止している物を検出したときには、処理をステップＳＴ５８に進ませることができ、静止している物を検出しなかったときには、処理をステップＳＴ５９に進ませることができる。
【０１４７】
ステップＳＴ５６において、制御部２０は、検出した動いている物の名前と、動いている物が検出されたこととを表わす音声メッセージをスピーカ７から出力させることができる。
【０１４８】
ステップＳＴ５８において、制御部２０は、検出した静止している物の名前と、静止している物が検出されたこととを表わす音声メッセージをスピーカ７から出力させることができる。
【０１４９】
ステップＳＴ５９において、制御部２０は、アウトカメラ５３が選択されているときには、処理をステップＳＴ６１に進ませることができ、インカメラ５２が選択されているときには、処理をステップＳＴ６０に進ませることができる。
【０１５０】
ステップＳＴ６０において、制御部２０は、選択するカメラをアウトカメラ５３に切り替えることができ、その後、処理をステップＳＴ５２に戻すことができる。
【０１５１】
ステップＳＴ６１において、制御部２０は、インカメラ５２で撮影された画像中の全画素の色のうち、頻度が最大の色が黒色で、かつアウトカメラ５３で撮影された画像中の全画素の色のうち、頻度が最大の色が黒色の場合に、処理をステップＳＴ６２に進ませることができる。ここで、アウトカメラ５３で撮影された画像は、各画素ごとにＲＧＢ値の色情報を含む。制御部２０は、各画素ごとに色情報を解析して、各画素がそれぞれどの色を示すか特定する。ここでいう色は、ＲＧＢ値に基づく所定の定義により定められた色である。所定の定義には、少なくとも黒色に対応する定義を含む。制御部２０は、特定した色ごとの画素の数をカウントし、カウントした画素の数が最も多い色を、上記頻度が最大の色とする。
【０１５２】
ステップＳＴ６２において、制御部２０は、電子機器５１が何かに両側から挟まれ、かつ起てられている旨の音声メッセージをスピーカ７から出力させることができる。
【０１５３】
ステップＳＴ６３において、制御部２０は、ユーザが電子機器１を手に持った場合に、処理を終了させ、それ以外の場合には、処理をステップＳＴ６４に進ませることができる。
【０１５４】
ステップＳＴ６４において、制御部２０は、一定時間処理をウエイトした後、処理をステップＳＴ６２に戻らせることができる。
【０１５５】
以上のように、第７の実施形態によれば、アウトカメラ５３とインカメラ５２の両方を備えるスマートフォンのような電子機器において、上側にあって周囲を写すことができる方のカメラに撮影させることができる。また、スマートフォンが何かに支えられて起っており、アウトカメラ５３のインカメラ５２のいずれが上側かが判定できないときには、両方のカメラを用いて周囲の状況を取得することができる。すなわち、いずれかのカメラで撮影された画像に物が検出されたときには、その物を表わす音声を出力し、いずれのカメラの上側かが判定できないときには、両方のカメラを用いて周囲の状況を取得することができる。すなわち、いずれかのカメラで撮影された画像に物が検出されたときには、その物を表わす音声を出力し、いずれのカメラの画像も黒色が主成分の場合には、両側から挟まれている旨の音声メッセージを出力することができる。
【０１５６】
なお、上記の実施形態では、電子機器の向きが表面が上側か、背面が下側かが判定できないケース（図１５のＳＴ４でＮＯ、かつＳＴ５でＮＯ）を想定したが、これに限定するものではなく、より可能性の高い方に判定するものとしてもよい。
【０１５７】
[第７の実施形態の変形例］
図１７は、図１５のステップＳＴ１０の処理手順の変形例を表わすフローチャートである。
【０１５８】
ステップＳＴ５０１において、制御部２０は、インカメラ５２を起動することができる。
【０１５９】
ステップＳＴ５０２において、制御部２０は、図２のフローチャートのステップＳ１０４〜Ｓ１１２の処理を実行させることができる。これによって、インカメラ５２によって撮影された画像に基づく音声メッセージが出力されることができる。
【０１６０】
ステップＳＴ５０３において、制御部２０は、アウトカメラ５３を起動することができる。
【０１６１】
ステップＳＴ５０４において、制御部２０は、図２のフローチャートのステップＳ１０４〜Ｓ１１２の処理を実行させることができる。これによって、アウトカメラ５３によって撮影された画像に基づく音声メッセージが出力されることができる。
［第８の実施形態］
図１８は、第８の実施形態における電子機器の置き場所を通知する手順を表わすフローチャートである。
【０１６２】
このフローチャートが、第７の実施形態の図１５のフローチャートと相違する点は、ステップＳＴ７の代わりにステップＳＴ１７を備える点と、ステップＳＴ９の代わりにステップＳＴ１９を備える点である。
【０１６３】
ステップＳＴ１７において、制御部２０は、図１１のフローチャートのステップＳ４０４、Ｓ１０５〜Ｓ１１２の処理を実行させることができる。これによって、アウトカメラ５３によってフラッシュ撮影された画像に基づく音声メッセージが出力されることができる。
【０１６４】
ステップＳＴ１９において、制御部２０は、図１１のフローチャートのステップＳ４０４、Ｓ１０５〜Ｓ１１２の処理を実行させることができる。これによって、インカメラ５２によってフラッシュ撮影された画像に基づく音声メッセージが出力されることができる。
【０１６５】
以上のように、第８の実施形態によれば、アウトカメラ５３が上側にあるときには、アウトカメラ５３でフラッシュ撮影させ、インカメラ５２が上側にあるときには、インカメラ５２でフラッシュ撮影させる。これによって、電子機器の向きに係らず、カメラ撮影時にフラッシュ光源が発光するので、ユーザは、発光のあった場所を手がかりにして、置き忘れた電子機器の置き場所を探索することができる。
【０１６６】
［第８の実施形態の変形例１］
図１９は、第８の実施形態の変形例１の電子機器の動作手順を表わすフローチャートである。
【０１６７】
このフローチャートが、第７の実施形態の図１５のフローチャートと相違する点は、ステップＳＴ７の代わりにステップＳＴ１７を備える。
【０１６８】
ステップＳＴ１７において、制御部２０は、図１１のフローチャートのステップＳ４０４、Ｓ１０５〜Ｓ１１２の処理を実行させることができる。これによって、アウトカメラ５３によってフラッシュ撮影された画像に基づく音声メッセージが出力されることができる。
【０１６９】
ステップＳＴ９においては、図２のフローチャートと同様に、制御部２０は、ステップＳ１０４〜Ｓ１１２の処理を実行させることができる。これによって、インカメラ５２によってフラッシュなしで撮影された画像に基づく音声メッセージが出力されることができる。
【０１７０】
第８の実施形態の変形例１によれば、アウトカメラ５３が上側にあるときには、アウトカメラ５３でフラッシュ撮影させ、インカメラ５２が上側にあるときには、インカメラ５２でフラッシュなし撮影させる。これによって、フラッシュ光源が発光したときには、アウトカメラ５３が上側となるような向きに電子機器が置かれていることを知ることができ、フラッシュ光源が発光しなかったときには、インカメラ５２が上側となるような向きに電子機器が置かれていることを知ることができる。
【０１７１】
［第８の実施形態の変形例２］
図２０は、第８の実施形態の変形例２における電子機器の置き場所を通知する手順を表わすフローチャートである。
【０１７２】
このフローチャートが、第７の実施形態の図１５のフローチャートと相違する点は、ステップＳＴ９の代わりにステップＳＴ１９を備える。
【０１７３】
ステップＳＴ７においては、図２のフローチャートと同様に、制御部２０は、ステップＳ１０４〜Ｓ１１２の処理を実行させることができる。これによって、アウトカメラ５３によってフラッシュなしで撮影された画像に基づく音声メッセージが出力されることができる。
【０１７４】
ステップＳＴ１９において、制御部２０は、図１１のフローチャートのステップＳ４０４、Ｓ１０５〜Ｓ１１２の処理を実行させることができる。これによって、インカメラ５２によってフラッシュ撮影された画像に基づく音声メッセージが出力されることができる。
【０１７５】
第８の実施形態の変形例２によれば、インカメラ５２が上側にあるときには、インカメラ５２でフラッシュ撮影させ、アウトカメラ５３が上側にあるときには、アウトカメラ５３でフラッシュなし撮影させる。これによって、フラッシュ光源が発光したときには、インカメラ５２が上側となるような向きに電子機器が置かれていることを知ることができ、フラッシュ光源が発光しなかったときには、アウトカメラ５３が上側となるような向きに電子機器が置かれていることを知ることができる。
【０１７６】
［第９の実施形態］
図２１は、第９の実施形態の電子機器における電子機器の置き場所を通知する手順を表わすフローチャートである。
【０１７７】
このフローチャートが、第７の実施形態の図１５のフローチャートと相違する点は、ステップＳＴ７の代わりにステップＳＴ７７を備える点と、ステップＳＴ９の代わりにステップＳＴ７９を備える点である。
【０１７８】
ステップＳＴ７７において、制御部２０は、図１２のフローチャートのステップＳＴ４４〜ＳＴ４６の処理を実行させることができる。これによって、アウトカメラ５３によってフラッシュ撮影させることができる。撮影された画像に基づく音声メッセージが出力されることはないが、ユーザは、フラッシュ光源が発光されたことを検知することができる。
【０１７９】
ステップＳＴ７９において、制御部２０は、図１２のフローチャートのステップＳＴ４４〜ＳＴ４６の処理を実行させることができる。これによって、インカメラ５２によってフラッシュ撮影させることができる。撮影された画像に基づく音声メッセージが出力されることはないが、ユーザは、フラッシュ光源が発光されたことを検知することができる。
【０１８０】
［第９の実施形態の変形例１］
図２２は、第９の実施形態の変形例１における電子機器の置き場所を通知する手順を表わすフローチャートである。
【０１８１】
このフローチャートが、第７の実施形態の図１５のフローチャートと相違する点は、ステップＳＴ７の代わりにステップＳＴ７７を備える点である。
【０１８２】
ステップＳＴ７７において、制御部２０は、図１２のフローチャートのステップＳＴ４４〜ＳＴ４６の処理を実行させることができる。これによって、アウトカメラ５３によってフラッシュ撮影させることができる。撮影された画像に基づく音声メッセージが出力されることはないが、ユーザは、フラッシュ光源が発光されたことを検知することができる。
【０１８３】
ステップＳＴ９において、図２のフローチャートと同様に、制御部２０は、ステップＳ１０４〜Ｓ１１２の処理を実行させることができる。これによって、インカメラ５２によってフラッシュなしで撮影された画像に基づく音声メッセージが出力されることができる。
【０１８４】
［第９の実施形態の変形例２］
図２３は、第９の実施形態の変形例２における電子機器の置き場所を通知する手順を表わすフローチャートである。
【０１８５】
ステップＳＴ７において、図２のフローチャートと同様に、制御部２０は、ステップＳ１０４〜Ｓ１１２の処理を実行させることができる。これによって、アウトカメラ５３によってフラッシュなしで撮影された画像に基づく音声メッセージが出力されることができる。
【０１８６】
このフローチャートが、第７の実施形態の図１５のフローチャートと相違する点は、ステップＳＴ９の代わりにステップＳＴ７９を備える点である。
【０１８７】
ステップＳＴ７９において、制御部２０は、図１２のフローチャートのステップＳＴ４４〜ＳＴ４６の処理を実行させることができる。これによって、インカメラ５２によってフラッシュ撮影させることができる。撮影された画像に基づく音声メッセージが出力されることはないが、ユーザは、フラッシュ光源が発光されたことを検知することができる。
【０１８８】
［第１０の実施形態］
第１０の実施形態の電子機器は、第１の実施形態と同様に、１つのカメラを備える。１つのカメラは、背面に取り付けられたアウトカメラ５３とする。電子機器１の向きが背面が表面よりも上側となるような向きの場合に、電子機器１は、アウトカメラ５３でフラッシュなし撮影して、撮影した画像に基づく音声メッセージを出力する。電子機器１の向きが表面が裏面よりも鉛直方向の下側となるような向きの場合に、電子機器１は、アウトカメラ５３でフラッシュ撮影するが、撮影した画像に基づく音声メッセージを出力しない。
【０１８９】
図２４は、第１０の実施形態における電子機器の置き場所を通知する手順を表わすフローチャートである。
【０１９０】
ステップＳＴ７０１において、制御部２０は、マイク６を通じて、第１のパターンの音が入力された場合には、処理をステップＳ７０２に進ませることができる。第１のパターンの音とは、たとえば、ユーザが手を所定回数（たとえば３回）叩くことで発生する音である。あるいは、ユーザが机の上を所定回数（たとえば３回）叩くことで発生する音である。
【０１９１】
ステップＳＴ７０２において、制御部２０は、ディスプレイ８のバックライトをオフすることによって、ディスプレイ８を消灯することができる。
【０１９２】
ステップＳＴ７０３において、制御部２０は、ジャイロセンサ１２から出力される信号に基づいて、電子機器１の向きを検出する。制御部２０は、電子機器１の向きが、背面が表面よりも鉛直方向の上側となるような向きか否かを検出する。
【０１９３】
ステップＳＴ７０４において、電子機器１の向きが背面が表面よりも鉛直方向の上側となるような向きと検出されたときには、制御部２０は、処理をステップＳＴ７０５に進ませることができる。電子機器１の向きが背面が表面よりも上側となるような向きと検出されなかったときには、制御部２０は、処理をステップＳＴ７１４に進ませることができる。
【０１９４】
ステップＳＴ７０５において、制御部２０は、アウトカメラ５３を起動することができる。
【０１９５】
ステップＳＴ７０６において、制御部２０は、アウトカメラ５３に撮影させることができる。制御部２０は、アウトカメラ５３による撮影によって得られた画像を解析することができる。
【０１９６】
ステップＳＴ７０７において、制御部２０は、これまでに得られた複数の連続する画像中に動いている物を検出したときには、処理をステップＳＴ７０８に進ませることができ、動いている物を検出しなかったときには、処理をステップＳＴ７０９に進ませることができる。
【０１９７】
ステップＳＴ７０９において、制御部２０は、得られた画像中に静止している物を検出したときには、処理をステップＳＴ７１０に進ませることができ、静止している物を検出しなかったときには、処理をステップＳＴ７１１に進ませることができる。
【０１９８】
ステップＳＴ７０８において、制御部２０は、検出した動いている物の名前と、動いている物が検出されたこととを表わす音声メッセージをスピーカ７から出力させることができる。たとえば、人が動いているのが検出されたときには、人が動いていることが通知されることができる。あるいは、人の腕または掌が動いているのが検出されたときには、その旨が通知されるものことができる。
【０１９９】
ステップＳＴ７１０において、制御部２０は、検出した静止している物の名前と、静止している物が検出されたこととを表わす音声メッセージをスピーカ７から出力させることができる。たとえば、本が検出されたときには、本が検出されたことが通知されることができる。あるいは、文字が検出されたときには、検出された文字が通知されることができる。
【０２００】
ステップＳＴ７１１において、制御部２０は、得られた画像中に含まれる色のうち、最大の頻度の色を表わす音声メッセージをスピーカ７から出力させることができる。
【０２０１】
ステップＳＴ７１２において、制御部２０は、ユーザが電子機器１を手に持った場合に、処理を終了させ、それ以外の場合には、処理をステップＳＴ７１３に進ませることができる。ユーザが電子機器１を手に持ったか否かは、たとえば、加速度センサ１７、ジャイロセンサ１２、照度センサ１４、または近接センサ１３を単独、または組み合わせて用いることによって検出することができる。
【０２０２】
ステップＳＴ７１３において、制御部２０は、一定時間処理をウエイトした後、処理をステップＳＴ７０６に戻すことができる。
【０２０３】
ステップＳＴ７１４において、制御部２０は、アウトカメラ５３を起動することができる。
【０２０４】
ステップＳＴ７１５において、制御部２０は、アウトカメラ５３にフラッシュ撮影させることができる。
【０２０５】
ステップＳＴ７１６において、制御部２０は、ユーザが電子機器１を手に持った場合に、処理を終了させ、それ以外の場合には、処理をステップＳＴ７１７に進ませることができる。ユーザが電子機器１を手に持ったか否かは、たとえば、加速度センサ１７、ジャイロセンサ１２、照度センサ１４、または近接センサ１３を単独、または組み合わせて用いることによって検出することができる。
【０２０６】
ステップＳＴ７１７において、制御部２０は、一定時間処理をウエイトした後、処理をステップＳＴ７１５に戻すことができる。
【０２０７】
［第１１の実施形態］
図２５は、第１１の実施形態の電子機器の構成を表わす図である。
【０２０８】
電子機器７１は、メインプロセッサ２と、サブプロセッサ３と、メモリ３５とを備える。電子機器７１は、その他の構成要素を装着可能に構成されている。電子機器は、カメラ５と、マイク６と、スピーカ７と、ディスプレイ８と、タッチパネル９と、無線通信回路１０と、近距離通信回路１１と、ジャイロセンサ１２と、加速度センサ１７と、近接センサ１３と、照度センサ１４と、アンテナ１５とを装着することができる。これらの構成要素は、上記の実施形態で説明したものと同様の機能を有する。電子機器７１は、これらの構成要素の一部または全部を装着することによって、上記の実施形態と同様の効果が得られる。
【０２０９】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【０２１０】
１  電子機器、２  メインプロセッサ、３  サブプロセッサ、４，３３  制御プログラム記憶部、５  カメラ、６  マイク、７  スピーカ、８  ディスプレイ、９  タッチパネル、１０  無線通信回路、１１，３１  近距離通信回路、１２  ジャイロセンサ、１３  近接センサ、１４  照度センサ、１５  アンテナ、１６  バイブレータ、１７  加速度センサ、２０，４０  制御部、３０  ウェアラブル機器、３２  プロセッサ、３５，３９  メモリ、３７  入力部、５２  インカメラ、５３  アウトカメラ。
【図１】
2017098866.tif 000003
【図２】
2017098866.tif 000004
【図３】
2017098866.tif 000005
【図４】
2017098866.tif 000006
【図５】
2017098866.tif 000007
【図６】
2017098866.tif 000008
【図７】
2017098866.tif 000009
【図８】
2017098866.tif 000010
【図９】
2017098866.tif 000011
【図１０】
2017098866.tif 000012
【図１１】
2017098866.tif 000013
【図１２】
2017098866.tif 000014
【図１３】
2017098866.tif 000015
【図１４】
2017098866.tif 000016
【図１５】
2017098866.tif 000017
【図１６】
2017098866.tif 000018
【図１７】
2017098866.tif 000019
【図１８】
2017098866.tif 000020
【図１９】
2017098866.tif 000021
【図２０】
2017098866.tif 000022
【図２１】
2017098866.tif 000023
【図２２】
2017098866.tif 000024
【図２３】
2017098866.tif 000025
【図２４】
2017098866.tif 000026
【図２５】
2017098866.tif 000027